(57)【要約】【課題】贋札の投入と返却が繰り返されたとき、その回数を計数して、紙幣識別装置がそのような不正利用の目的で使用されることを抑制する。【解決手段】自動販売機１０において、投入された紙幣の真贋を判定する紙幣識別装置１１と、この紙幣識別装置１１により贋札と判定された回数を計数する計数装置１２と、この計数装置１２での計数値が所定値に達したとき紙幣投入者を撮影する旨の告知を行う音声再生装置１３と、さらに、音声再生装置１３による告知の後に投入された紙幣が紙幣識別装置１１により贋札と判定されたとき、その紙幣投入者を撮影するカメラやビデオなどの撮影装置１４を備えている。これにより、自動販売機１０にカメラやビデオが内蔵されていることを、音声再生装置１３によって消費者に告知できる。【選択図】　　　図１
2004038768.tif 000002
【特許請求の範囲】
【請求項１】
無人管理下の自動販売機等に対する贋札使用を抑制する贋札使用抑制装置において、
投入された紙幣の真贋を判定する紙幣識別手段と、
前記紙幣識別手段により贋札と判定された回数を計数する計数手段と、
前記計数手段での計数値が所定値に達したとき紙幣投入者を撮影する旨の告知を行う告知手段と、
を備えたことを特徴とする贋札使用抑制装置。
【請求項２】
さらに、前記告知手段による告知の後に投入された紙幣が前記紙幣識別手段により贋札と判定されたとき、前記紙幣投入者を撮影する撮影手段を備えたことを特徴とする請求項１記載の贋札使用抑制装置。
【請求項３】
無人管理下の自動販売機等に対する贋札使用を抑制する贋札使用抑制方法において、
投入された紙幣の真贋を判定する紙幣識別ステップと、
前記紙幣識別ステップにより贋札と判定された回数を計数する計数ステップと、
前記計数ステップでの計数値が所定値に達したとき紙幣投入者を撮影する旨の告知を行う告知ステップと、
前記告知ステップによる告知の後に投入された紙幣が前記紙幣識別ステップにより贋札と判定されたとき、前記紙幣投入者を撮影する撮影ステップと、
を備えたことを特徴とする贋札使用抑制方法。
【発明の詳細な説明】
【０００１】
【発明の属する技術分野】
この発明は、無人管理下の自動販売機等に対する贋札使用を抑制する贋札使用抑制装置及び贋札使用抑制方法に関し、特に、自動販売機等への紙幣投入者を撮影することによって犯罪を抑制するうえで有効な贋札使用抑制装置に関する。
【０００２】
【従来の技術】
従来の自動販売機等において使用される紙幣識別装置においては、投入された紙幣の真贋を判定し、真札は受け入れるが、贋札は自動返却するようになっている。そのため、贋札が何度も繰り返し投入されたとしても、単純に自動返却を繰り返すだけであり、他の処理は何も行われない。
【０００３】
【発明が解決しようとする課題】
そのため、自動販売機に対して不正に作成した贋札を何度も投入することによって、偽札の出来栄えを試験することが可能となる。
【０００４】
したがって、贋札の製作やその不正利用者にとっては、投入された紙幣の真贋判定で真札と判断されるまで、贋札を繰り返し再投入することができるなど、従来の紙幣識別装置における単純な真贋識別は、贋札使用を抑制するうえで不都合のものとなっていた。特に、無人管理下の自動販売機等においては管理人の監視の目がないため、贋札を投入された場合に、その使用者を特定することが困難であるという問題があった。
【０００５】
この発明の目的は、贋札の投入と返却が繰り返されたとき、その回数を計数して、紙幣識別装置がそのような不正利用の目的で使用されることを抑制するようにした贋札使用抑制装置及び贋札使用抑制方法を提供することにある。
【０００６】
【課題を解決するための手段】
上記目的を達成するために、無人管理下の自動販売機等に対する贋札使用を抑制する贋札使用抑制装置が提供される。この贋札使用抑制装置は、投入された紙幣の真贋を判定する紙幣識別手段と、前記紙幣識別手段により贋札と判定された回数を計数する計数手段と、前記計数手段での計数値が所定値に達したとき紙幣投入者を撮影する旨の告知を行う告知手段とから構成される。
【０００７】
この発明の贋札使用抑制装置では、告知手段によって自動販売機などにカメラやビデオが内蔵されていることを消費者全体に告知する効果があり、それにより贋札の製作、及び使用といった犯罪を抑止できる。
【０００８】
また、この発明の贋札使用抑制方法は、投入された紙幣の真贋を判定する紙幣識別ステップと、前記紙幣識別ステップにより贋札と判定された回数を計数する計数ステップと、前記計数ステップでの計数値が所定値に達したとき紙幣投入者を撮影する旨の告知を行う告知ステップと、前記告知ステップによる告知の後に投入された紙幣が前記紙幣識別ステップにより贋札と判定されたとき、前記紙幣投入者を撮影する撮影ステップとを備えている。
【０００９】
この贋札使用抑制方法では、贋札の連続投入回数が所定値ｎに達すると、警告用の音声信号が出力され、なお続けて贋札が投入される場合には紙幣投入者を撮影する。したがって、自動販売機等の紙幣識別装置が不正利用の目的で使用されることを抑制できる。
【００１０】
【発明の実施の形態】
以下、この発明の実施の形態について、図面を参照して説明する。
図１は、贋札使用抑制装置の一例を示すブロック図である。図１に示すように、この発明の贋札使用抑制装置は、例えば飲料食品あるいは各種の物品を販売している自動販売機１０において、投入された紙幣の真贋を判定する紙幣識別装置１１と、この紙幣識別装置１１により贋札と判定された回数を計数する計数装置１２と、この計数装置１２での計数値が所定値に達したとき紙幣投入者を撮影する旨の告知を行う音声再生装置１３と、さらに、音声再生装置１３による告知の後に投入された紙幣が紙幣識別装置１１により贋札と判定されたとき、その紙幣投入者を撮影するカメラやビデオなどの撮影装置１４を備えている。
【００１１】
図２は、図１の贋札使用抑制装置における撮影動作の手順を示すフローチャートである。
紙幣投入者が連続して繰り返し贋札を投入したとき、紙幣識別装置１１では真贋判定を繰り返し行い、その都度贋札を返却する。計数装置１２では、投入された紙幣の贋札と判定された回数を計数する。計数装置１２での計数値が所定値、例えばｎ≧５に達したとき（ステップ１）、音声再生装置１３の起動を指令して、紙幣投入者を撮影する旨の告知を行う（ステップ２）。この告知内容は、例えば「再度紙幣を投入すると撮影を行います。」といったものであり、これにより偽札が何度も繰り返し投入されたことを外部に知らせることができる。そして、告知の後に実際に紙幣が投入され（ステップ３）、それが紙幣識別装置１１により贋札と判定されたとき（ステップ４，５）、自動販売機１０の内部に搭載したカメラ／ビデオなどの撮影装置１４の起動を指令する（ステップ６）。これにより、その紙幣投入者を撮影し（ステップ７）、その後、贋札を返却する（ステップ８）とともに、各装置を待機状態とする（ステップ９）。
【００１２】
したがって、この発明では、音声再生装置１３によって自動販売機１０にカメラやビデオが内蔵されていることを消費者全体に告知する効果がある。また、それにより贋札の製作、及び使用といった犯罪を抑止する効果があり、しかも実際に紙幣投入者を撮影することによって、贋札を使用した犯罪に対処できる効果も奏する。
【００１３】
図３は、贋札使用抑制装置を搭載した自動販売機を示す概略構成図である。同図（Ａ）は自動販売機の正面図、同図（Ｂ）はＢ−Ｂ断面図である。
自動販売機１０の前面扉２０には硬貨投入口２１、紙幣投入口２２、返却口２３が設けられ、投入された紙幣の真贋を、内部の紙幣識別装置１１により識別するように構成されている。さらに、この前面扉２０には、内部の音声再生装置１３で再生された音声を拡声するためのスピーカ２４、販売商品の見本を陳列するための商品見本棚２５、購入された商品を引き渡すための商品取出口２６などが形成されている。１４ａは、自動販売機１０の内部に配置された撮影装置１４の撮影用レンズ窓である。
【００１４】
この自動販売機１０の内部には、紙幣識別装置１１、音声再生装置１３、撮影装置１４のほか、図１に示す贋札使用抑制装置を構成する計数装置１２に対応する贋札カウンタなどを備え、これらは図示しない演算処理装置（ＣＰＵ）によって制御されている。
【００１５】
図４は、図３の自動販売機における贋札使用抑制方法の一例を示すフローチャートである。
自動販売機１０は、通常は待機状態（ステップ１１）にある。一定の時間に紙幣投入がないとき、ステップ１２で贋札カウンタ（計数装置１２）の計数内容のクリアが行われる。ステップ１３では、紙幣の投入の有無が判別される。投入がないときは処理が終了して、ステップ１１の待機状態に戻る。紙幣の投入があると、次のステップ１４に進んで紙幣識別装置１１により真贋の識別・判断が行われる。投入された紙幣が真札であると判断されるときには、後述する商品購入ステップに移行する。しかし、真札ではなく、偽札であると判断される場合には、ステップ１５に進んで、贋札カウンタを＋１だけカウントアップする。その後、ステップ１６で投入紙幣が返却口２３から返却され、贋札使用抑制装置では贋札カウンタの計数結果が所定の値ｎ（例えば５回に設定される。）を越えているかどうかを判断する（ステップ１７）。
【００１６】
このステップ１７では、贋札カウンタの計数結果がｎを越えていない間は、再びステップ１３に戻り、紙幣の投入を待つことになる。ｎの値を小さく設定すれば、それだけ贋札のテストを行おうとする紙幣投入者を迅速に撃退することができる。しかし、紙幣識別装置１１の識別エラーの可能性を考慮すると、ｎをある程度の回数に設定することが好ましい。この値ｎまで繰り返し贋札が投入された場合、ステップ１７における贋札カウンタの計数結果に基づいて、次のステップ１８に進んで、音声再生装置１３から撮影する旨の告知が行われる。その後に、ステップ１９に進み、なお紙幣の投入がなされるとステップ２０に進んで、再び紙幣識別装置１１により真贋の識別・判断が行われる。その結果、投入された紙幣が贋札であればステップ２１に進んで、直ちに撮影が実施される。
【００１７】
なお、ステップ２０で紙幣が真札であると判断されると、ステップ２２の商品購入ステップに移行する。商品購入ステップ２２では、紙幣投入者に対してその投入金額に見合う商品の選択を促し、商品の選択がなされなければステップ２３に進んで投入紙幣を返却し、商品が選択されればステップ２４でその商品が引き渡される。
【００１８】
以上の構成により、偽札が繰り返し自動販売機に投入された場合、ステップ１３からステップ１７が繰り返し実行される。これにより、贋札カウンタのカウント値が増加していって、その連続投入回数が所定値ｎに達すると、ステップ１８に進んで、警告用の音声信号がスピーカ２４から出力される。そして、なお続けて贋札が紙幣投入口２２から投入される場合には、撮影装置１４によって紙幣投入者を撮影する。贋札の投入回数が所定値ｎに達しないで紙幣投入が中止され、あるいは別の真札が投入された場合には、ステップ１３、あるいはステップ１４から終了処理、あるいは商品購入処理に進む。したがって、自動販売機１０は、つぎの贋札使用抑制動作のための待機状態となって、ステップ１２で贋札カウンタのカウント値がクリアされる。
【００１９】
なお、複数枚の紙幣を同時に投入することができる自動販売機であっても、同様の贋札使用抑制動作を実施することが可能である。また、この発明を自動販売機ではなく、現金自動支払機（ＡＴＭ：Ａｕｔｏｍａｔｉｃ　Ｔｅｌｌｅｒ’ｓ　Ｍａｃｈｉｎｅ）に適用して、同様の効果を奏することも可能である。さらに、この発明の贋札使用抑制装置の対象となる贋札は現金紙幣だけに限られるものではなく、硬貨、プラスチックカード、磁気カード、ＩＣカードなどを用いて商品を販売する自動販売機にも同様に適用して、贋札使用を抑制することが可能である。
【００２０】
【発明の効果】
以上に説明したように、この発明によれば、贋札の投入と返却が繰り返されたとき、その回数を計数して、紙幣識別装置がそのような不正利用の目的で使用されることを抑制することによって、贋札の使用を監視し、その使用を防止する贋札使用抑制装置及び贋札使用抑制方法を提供できる。
【図面の簡単な説明】
【図１】贋札使用抑制装置の一例を示すブロック図である。
【図２】贋札使用抑制装置における撮影動作の手順を示すフローチャートである。
【図３】贋札使用抑制装置を搭載した自動販売機を示す概略構成図である。
【図４】図３の自動販売機における贋札使用抑制方法の一例を示すフローチャートである。
【符号の説明】
１０　自動販売機
１１　紙幣識別装置
１２　計数装置
１３　音声再生装置
１４　撮影装置
【図１】
2004038768.tif 000003
【図２】
2004038768.tif 000004
【図３】
2004038768.tif 000005
【図４】
2004038768.tif 000006